(57)【要約】      （修正有）【課題】一種のポジショニングアラーム装置を提供することにあり、使用者は目的地を設定でき、ポジショニング技術を利用し、目的地に接近する時、使用者を覚醒させることができる。【解決手段】ポジショニングアラーム装置１００は、通信ユニット１０４と通信システム１１８を利用して通信を行い、各第１時間間隔において、現在地点データを読み取り、その後、使用者が設定プロセスを実行し、特定地点データを設定し、続いて、使用者がこの特定地点データを保存ユニット１１０中に保存する。続いて、制御ユニット１０２或いは通信システムがこの現在地点情報とこの特定地点データの距離条件が符合するか否かを判断し、この距離条件が成立すればアラームプロセスを実行し、対応するアラーム動作を行なう。【選択図】図１
0003113282.tif 000002
【実用新案登録請求の範囲】
【請求項１】
ポジショニングアラーム装置において、該ポジショニングアラーム装置は電子装置に適用され、該ポジショニングアラーム装置は、
特定地点データの設定に用いられる入力ユニットと、
現在地点データの受信に用いられ、通信システムと通信し、各第１時間間隔に現在地点データを読み取る通信ユニットと、
保存ユニットと、
該入力ユニット、該通信ユニット、該保存ユニットに電気的に接続された制御ユニットと、
を包含し、現在地点データと特定地点データが距離条件に符合するか否かを判断し、距離条件が成立すればアラームプロセスを実行してアラーム動作を実行することを特徴とする、ポジショニングアラーム装置。
【請求項２】
請求項１記載のポジショニングアラーム装置において、通信ユニットが有線信号送受信回路を包含したことを特徴とする、ポジショニングアラーム装置。
【請求項３】
請求項１記載のポジショニングアラーム装置において、通信ユニットが無線信号送受信回路を包含したことを特徴とする、ポジショニングアラーム装置。
【請求項４】
請求項１記載のポジショニングアラーム装置において、距離条件が、現在地点データと特定地点データ間の距離がアラーム距離より小さいこととされ、この距離条件に符合するとアラームプロセスを実行することを特徴とする、ポジショニングアラーム装置。
【請求項５】
請求項１記載のポジショニングアラーム装置において、アラームプロセスでポジショニングアラーム装置内の発声ユニットを利用してアラーム音を発生させることを以てアラーム動作とすることを特徴とする、ポジショニングアラーム装置。
【請求項６】
請求項１記載のポジショニングアラーム装置において、アラームプロセスでポジショニングアラーム装置内の振動ユニットを利用して振動を発生させることを以てアラーム動作とすることを特徴とする、ポジショニングアラーム装置。
【請求項７】
請求項１記載のポジショニングアラーム装置において、アラームプロセスでポジショニングアラーム装置内の表示ユニットを利用してアラームフレームを表示させることを以てアラーム動作とすることを特徴とする、ポジショニングアラーム装置。
【請求項８】
請求項１記載のポジショニングアラーム装置において、特定地点データが目的地名称と経緯度座標を包含することを特徴とする、ポジショニングアラーム装置。
【請求項９】
請求項１記載のポジショニングアラーム装置において、制御ユニットが現在地点データと特定地点データの間の距離がアラーム距離より小さいかを対比し、現在地点データと特定地点データの間の距離がアラーム距離より小さければ、この距離条件に符合すれば距離条件に符合すると判断し、該制御ユニットがアラームプロセスを実行することを特徴とする、ポジショニングアラーム装置。
【請求項１０】
請求項１記載のポジショニングアラーム装置において、制御ユニットが特定地点データとアラーム距離を通信ユニットを通して通信システムに伝送し、通信システムが現在地点データと特定地点データの間の距離がアラーム距離より小さいかを対比し、現在地点データと特定地点データの間の距離がアラーム距離より小さければ距離条件に符合すると判断し、通信システムが第１信号を該制御ユニットに送り、アラームプロセスを実行するよう指示することを特徴とする、ポジショニングアラーム装置。
【考案の詳細な説明】
【技術分野】
【０００１】
本考案は一種のポジショニングシステムに係り、且つ特にグローバルポジショニングシステムを利用し、使用者が目的地に接近した時、使用者を覚醒させる装置に関する。
【背景技術】
【０００２】
毎日車で通勤するサラリーマン、或いは長距離交通工具に搭乗する旅客は、通常乗車の時間に仮眠をとる。ただし、多くの乗客が寝過ごす苦い経験を有し、この状況を防止する有効な方法はまだない。通常、横にいる人に起こしてくれるように頼んでも、断られる可能性もあり、且つ他人に迷惑を掛ける。アラームベルにより自分で起きようとしても、道路状況は随時改変するため、時間どおりに目的地につかないこともある。ゆえに、乗客は半睡半醒の状態で不断に現在の所在位置を確認しなければならず、落ち着いて寝ることができない。
【考案の開示】
【考案が解決しようとする課題】
【０００３】
このため、我々は一種のポジショニングアラーム装置を提供し、このポジショニングアラーム装置は、使用者が目的地に接近する時に即時使用者に通知し、使用者がいつ起きなければならないかを心配しなくともよいようにする。特に、使用者が、道路状況の影響を受けやすい交通工具に乗車している時、使用者の現在位置と目的地までの距離を通知条件とすることができれば、更に効率的且つ正確に適時に使用者を起こすことができ、これにより、使用者は休息に十分な時間をとることができるであろう。
【０００４】
ゆえに、本考案の目的は、一種のポジショニングアラーム装置を提供することにあり、本考案の利用により、使用者は目的地を設定でき、ポジショニング技術を利用し、目的地に接近する時、使用者を覚醒させることができる。
【０００５】
上述の目的を達成するため、本考案は一種のポジショニングアラーム装置を提供する。それは、入力ユニット、通信ユニット、保存ユニットと制御ユニットを包含する。そのうち、入力ユニットは特定地点データを設定するのに用いられる。更に、通信ユニットは現在地点データを受信するのに用いられ、通信ユニットは通信システムと通信を行ない、各第１時間間隔において、現在地点データを読み取る。このほか、制御ユニットは入力ユニット、通信ユニット、保存ユニットに接続されている。制御ユニット或いは通信システムが現在地点データと特定地点データの距離条件が符合するかを判断し、距離条件が成立すれば、アラームプロセスを実行し、アラーム動作を実行する。
【０００６】
本考案の好ましい実施例によると、この制御ユニットによる現在地点データと特定地点データの対比の時、両者間の距離がアラーム距離より小さいか否かを判断する。現在地点データと特定地点データの距離がアラーム距離より小さければ、距離条件が符合するとし、制御ユニットがアラームプロセスを実行する。
【０００７】
本考案の好ましい実施例によると、制御ユニットが特定地点データとアラーム距離を通信ユニットを通して通信システムに伝送し、通信システムが現在地点データと特定地点データの間の距離がアラーム距離より小さいかを対比し、この距離条件が符合すると判断すれば、通信システムが第１信号を制御ユニットに送り、アラームプロセスを実行するよう指示する。
【０００８】
本考案の好ましい実施例によると、上述の通信ユニットは有線信号送受信回路を包含する。
【０００９】
本考案の好ましい実施例によると、上述の通信ユニットは無線信号送受信回路を包含する。
【００１０】
本考案の好ましい実施例によると、上述の距離条件は現在地点データと特定地点データの間の距離がアラーム距離より小さいこととされ、この距離条件に符合すれば、アラームプロセスを実行するものとされる。
【００１１】
本考案の好ましい実施例によると、上述の設定プロセスは、アラーム距離の設定を更に包含する。
【００１２】
本考案の好ましい実施例によると、上述の設定プロセスは、使用者が過去に所在していた位置データを保存ユニット内に保存して過去地点データとなし、使用者がこの過去地点データを特定地点データとして選択することを包含する。
【００１３】
本考案の好ましい実施例によると、上述のアラームプロセスでは、この電子装置内の発声ユニットを利用してアラーム音声を発生させ、アラーム動作を実行する。
【００１４】
本考案の好ましい実施例によると、上述のアラームプロセスでは、この電子装置内の振動ユニットを利用してアラーム振動を発生させて、アラーム動作を実行する。
【００１５】
本考案の好ましい実施例によると、上述のアラームプロセスでは、この電子装置内の表示ユニットを利用してアラーム画面を表示し、アラーム動作を実行する。
【課題を解決するための手段】
【００１６】
請求項１の考案は、ポジショニングアラーム装置において、該ポジショニングアラーム装置は電子装置に適用され、該ポジショニングアラーム装置は、
特定地点データの設定に用いられる入力ユニットと、
現在地点データの受信に用いられ、通信システムと通信し、各第１時間間隔に現在地点データを読み取る通信ユニットと、
保存ユニットと、
該入力ユニット、該通信ユニット、該保存ユニットに電気的に接続された制御ユニットと、
を包含し、現在地点データと特定地点データが距離条件に符合するか否かを判断し、距離条件が成立すればアラームプロセスを実行してアラーム動作を実行することを特徴とする、ポジショニングアラーム装置としている。
請求項２の考案は、請求項１記載のポジショニングアラーム装置において、通信ユニットが有線信号送受信回路を包含したことを特徴とする、ポジショニングアラーム装置としている。
請求項３の考案は、請求項１記載のポジショニングアラーム装置において、通信ユニットが無線信号送受信回路を包含したことを特徴とする、ポジショニングアラーム装置としている。
請求項４の考案は、請求項１記載のポジショニングアラーム装置において、距離条件が、現在地点データと特定地点データ間の距離がアラーム距離より小さいこととされ、この距離条件に符合するとアラームプロセスを実行することを特徴とする、ポジショニングアラーム装置としている。
請求項５の考案は、請求項１記載のポジショニングアラーム装置において、アラームプロセスでポジショニングアラーム装置内の発声ユニットを利用してアラーム音を発生させることを以てアラーム動作とすることを特徴とする、ポジショニングアラーム装置としている。
請求項６の考案は、請求項１記載のポジショニングアラーム装置において、アラームプロセスでポジショニングアラーム装置内の振動ユニットを利用して振動を発生させることを以てアラーム動作とすることを特徴とする、ポジショニングアラーム装置としている。
請求項７の考案は、請求項１記載のポジショニングアラーム装置において、アラームプロセスでポジショニングアラーム装置内の表示ユニットを利用してアラームフレームを表示させることを以てアラーム動作とすることを特徴とする、ポジショニングアラーム装置としている。
請求項８の考案は、請求項１記載のポジショニングアラーム装置において、特定地点データが目的地名称と経緯度座標を包含することを特徴とする、ポジショニングアラーム装置としている。
請求項９の考案は、請求項１記載のポジショニングアラーム装置において、制御ユニットが現在地点データと特定地点データの間の距離がアラーム距離より小さいかを対比し、現在地点データと特定地点データの間の距離がアラーム距離より小さければ、この距離条件に符合すれば距離条件に符合すると判断し、該制御ユニットがアラームプロセスを実行することを特徴とする、ポジショニングアラーム装置としている。
請求項１０の考案は、請求項１記載のポジショニングアラーム装置において、制御ユニットが特定地点データとアラーム距離を通信ユニットを通して通信システムに伝送し、通信システムが現在地点データと特定地点データの間の距離がアラーム距離より小さいかを対比し、現在地点データと特定地点データの間の距離がアラーム距離より小さければ距離条件に符合すると判断し、通信システムが第１信号を該制御ユニットに送り、アラームプロセスを実行するよう指示することを特徴とする、ポジショニングアラーム装置としている。
【考案の効果】
【００１７】
本考案は一種のポジショニングアラーム装置を提供する。本考案はグローバルポジショニングシステム（ＧＰＳ）技術を応用し、位置をアラーム動作実行の根拠となし、これにより、適当な時間に使用者を覚醒させられ、使用者が十分な時間を休息或いはその他の活動に当てることができるようにする。本考案はデジタル産業に新規なサービス機能を提供し、人々の生活を更に快適とし、関係産業の発展に寄与する。
【考案を実施するための最良の形態】
【００１８】
図１は本考案の好ましい実施例のポジショニングアラーム装置の回路機能ブロック図である。このポジショニングアラーム装置１００は制御ユニット１０２、通信ユニット１０４、発声ユニット１０６、表示ユニット１０８、保存ユニット１１０、入力ユニット１１２、振動ユニット１１４、及びアンテナ１１６を包含する。そのうち、制御ユニット１０２は通信ユニット１０４、発声ユニット１０６、表示ユニット１０８、保存ユニット１１０、入力ユニット１１２及び振動ユニット１１４に電気的に接続されている。更に、通信ユニット１０４はアンテナ１１６に電気的に接続されている。本実施例では、ポジショニングアラーム装置１００の実際形態は各種のポータブルなモバイル装置、例えば、携帯電話、ＰＤＡ、ノートブック型コンピュータ、フラットタイプコンピュータ或いはハンドヘルドＧＰＳに内蔵、外接或いはオンライン接続される。並びに、本実施例ではグローバルポジショニングシステム（ＧＰＳ）、ジャイロメーター、補助式ＧＰＳ（Ａｓｓｉｓｔｅｄ  ＧＰＳ；Ａ−ＧＰＳ）、セルＩＤ（Ｃｅｌｌ−ＩＤ）、電波到達時間差法（Ｔｉｍｅ  Ｄｉｆｆｅｒｅｎｃｅ  ｏｆ  Ａｒｒｉｖａｌ；ＴＤＯＡ）、或いは強化観測時間差法（Ｅｎｈａｎｃｅｄ  Ｏｂｓｅｒｖｅｄ  Ｔｉｍｅ  Ｄｉｆｆｅｒｅｎｃｅ；Ｅ−ＯＴＤ）によりポジショニング技術を実現する。通信ユニット１０４は有線信号送受信回路或いは無線信号送受信回路とされる。
【００１９】
そのうち、入力ユニット１１２は特定地点データ、アラーム距離とアラーム方式を入力するのに用いられる。さらに、通信ユニット１０４は現在地点データを受信し、通信ユニット１０４は通信システム１１８と通信し、周知の通信技術によりポジショニングを行い、各第１時間間隔において、ポジショニングアラーム装置１１０は通信システム１１８より現在地点データを取得する。
【００２０】
以下にポジショニングアラーム装置１００の運転方式について説明する。例えば学生が何時間もバスに乗って通学するとして、バスの中で仮眠をとる場合、ポジショニングアラーム装置１００のアラーム機能を起動して、特定地点データ（目的地を学校に設定）、アラーム距離（５００メートル）とアラーム方式（ベル音）を入力する。その落ち、学生は安心して眠ることができる。約７０分後、バスが学校まで５００メートルの距離に至ると、ポジショニングアラーム装置１００のベルにより学生は起こされ、ゆとりを以て下車して学校に向かうことができる。
【００２１】
図２は本考案の好ましい実施例のポジショニングアラーム方法のフローチャートである。本方法は図１の実施例に記載の装置に適用される。本方法は、周知の通信技術を利用し、通信ユニットに通信システムとの通信を行なわせ、各第１時間間隔に、現在地点データを読み取らせる（Ｓ２０４）。その後、使用者がアラーム機能を起動する（Ｓ２０６）。続いて、使用者が設定プロセスを実行し、特定地点データを設定する（Ｓ２０８）。続いて制御ユニットが特定地点データを保存ユニット中に保存する（Ｓ２１０）。その後、現在地点データと特定地点データが一つの距離条件に符合するかを判断する（Ｓ２１２）。距離条件が成立すれば、アラームプロセスを実行し、対応するアラーム動作を実行する（Ｓ２１４）。距離条件が不成立であれば、アラームプロセスを実行せず、重複して前述の動作を実行する。即ち、現在地点データと特定地点データの間の距離がアラーム距離より小さければ、距離条件が成立し、アラームプロセスを実行する。
【００２２】
このほか、前述の方法は更に制御ユニットが現在地点データと特定地点データの間の距離がアラーム距離より小さいかを判断するステップを包含する。現在地点データと特定地点データ間の距離がアラーム距離より小さければ、制御ユニットが距離条件が成立したと判断する。その後、制御ユニットがアラームプロセスを実行する。
【００２３】
このほか、前述の方法は制御ユニットが特定地点データとアラーム距離を通信ユニットにより通信システムに伝送し、その後、通信システムが現在地点データと特定地点データ間の距離がアラーム距離より小さいかを判断するステップを包含しうる。もし現在地点データと特定地点データ間の距離がアラーム距離より小さければ、通信システムが距離条件が成立したと判断し、その後、通信システムが第１信号を制御ユニットに伝送し、制御ユニットにアラームプロセスを実行するように指示する。
【００２４】
前述の設定プロセスでは、特定地点データ（目的地名称及び経緯度座標）を設定するほか、アラーム距離とアラーム方式も設定する必要がある。このアラーム方式は、即ち、アラームプロセスでこの装置内の発声ユニットを利用してアラーム音声を発生させるか、振動ユニットにアラーム振動を発生させるか、或いは表示ユニットにアラームフレームを表示させることを以て、アラーム動作を実行する。このほか、設定プロセスでは使用者が過去に所在した位置データを保存ユニット内に保存して過去地点データとなすことができ、使用者が後日にこの過去地点データを特定地点データとして選択できるようにすることも可能である。
【００２５】
以下に具体的な実施例を挙げて説明する。使用者がバスでＡ市に行く場合、バスがＡ市に接近する時、本考案のポジショニングアラーム装置１００を内蔵した携帯電話がアラーム音と振動を発生し、使用者を覚醒させる。こうして使用者は車内で安心して眠ることができる。そのためには、先ず、使用者は携帯電話のアラーム機能を起動する。続いて、使用者は設定プロセスを実行し、特定地点データを設定する。もし特定地点データが始めて設定する新地点であるなら、目的地名称、経緯度座標及びアラーム距離を入力する必要がある。図３を参照されたい。図３は本考案の実施例の設定プロセスのフレーム表示図である。更に、特定地点データが過去に設定したことのあるものであれば、保存された過去地点データより該当するものを選択する。図４は本考案の実施例の過去地点データフレーム表示図である。このほか、使用者はアラーム方式、例えばベル音、振動、フレーム表示等を設定できる。
【００２６】
続いて、制御ユニット１０２が自動的に使用者の所在の現在地点をピックアップして特定地点と対比を行なう。使用者と目的地の距離が設定されたアラーム距離より小さい時、アラームプロセスが自動的に実行されて先に設定したアラーム方式により使用者を覚醒させる。ここで特に説明すべきことは、距離条件が成立するか否かの判断の時には、必ずしも前述のポジショニングアラーム装置１００により判断動作を実行する必要はなく、通信システム内の対応するサーバー（図示せず）により判断動作を実行することができ、これは周知の実行可能な技術であり、前述の実施例は例として提示しただけであり、状況に応じてその実施方式を調整することができる。
【００２７】
総合すると、本考案はポジショニングアラーム装置を提供し、それは周知のポジショニング技術を利用し、使用者が効率的に時間を使用できるようにする。本考案は人々の生活を更に便利とし、人々の活動の効率を更に高める。
【００２８】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００２９】
【図１】本考案の好ましい実施例のポジショニングアラーム装置の回路機能ブロック図である。
【図２】本考案の好ましい実施例のポジショニングアラーム方法のフローチャートである。
【図３】本考案の好ましい実施例の設定プロセスフレーム表示図である。
【図４】本考案の好ましい実施例の過去地点データフレーム表示図である。
【符号の説明】
【００３０】
１００  ポジショニングアラーム装置
１０２  制御ユニット
１０４  通信ユニット
１０６  発声ユニット
１０８  表示ユニット
１１０  保存ユニット
１１２  入力ユニット
１１４  振動ユニット
１１６  アンテナ
１１８  通信システム
２０２〜２１４  ステップ
【図１】
0003113282.tif 000003
【図２】
0003113282.tif 000004
【図３】
0003113282.tif 000005
【図４】
0003113282.tif 000006